(57)【要約】【課題】  この発明は、入力された映像信号の明るさに関する情報に基づいて、光源ランプの照度が制御される投射型映像表示装置において、入力された映像信号の明るさが大きく変化した場合に、光源ランプの応答遅れによって発生する視覚的な違和感を低減させることができる投射型映像表示装置を提供することを目的とする。【解決手段】  光源ランプ、光源ランプの光の強度を変調することによって画像を表示するライトバルブ、入力された画像の明るさに関する情報を算出する手段、および画像の明るさに関する情報に基づいて、ランプ電力を制御することにより、光源の照度を制御する手段とを備えている投射型映像表示装置において、現フレームに対するランプ電力に関するデータと、過去の所定数のフレーム分に対するランプ電力に関するデータとに基づいて、入力映像信号の信号レベルを変化させる信号レベル変調手段を備えている。【選択図】  図３
2005159595.tif 000002
【特許請求の範囲】
【請求項１】
光源ランプ、光源ランプの光の強度を変調することによって画像を表示するライトバルブ、入力された画像の明るさに関する情報を算出する手段、および画像の明るさに関する情報に基づいて、ランプ電力を制御することにより、光源の照度を制御する手段とを備えている投射型映像表示装置において、
現フレームに対するランプ電力に関するデータと、過去の所定数のフレーム分に対するランプ電力に関するデータとに基づいて、入力映像信号の信号レベルを変化させる信号レベル変調手段を備えていることを特徴とする投射型映像表示装置。
【請求項２】
信号レベル変調手段は、現フレームに対するランプ電力に関するデータと、過去の所定数のフレーム分に対するランプ電力に関するデータとが、それぞれ入力され、かつ入力されたランプ電力に関するデータに所与の乗算係数を乗算する複数の乗算手段、ランプ電力に関するデータの時間的変化量に基づいて、各乗算手段に設定される乗算係数を切り換える手段、各乗算手段の乗算結果に基づいて、入力映像信号の信号レベルのゲイン差分値を算出する手段、算出されたゲイン差分値を基準となるゲインに加算することによりゲインを算出し、算出したゲインに応じて入力映像信号の信号レベルを変化させる手段を備えていることを特徴とする請求項１に記載の投射型映像表示装置。
【発明の詳細な説明】
【技術分野】
【０００１】
この発明は、ＬＣＤ、ＤＬＰ等の投射型映像表示装置に関する。
【背景技術】
【０００２】
ＬＣＤ、ＤＬＰ等のデバイスをライトバルブとして利用して画像を表示する投射型映像表示装置において、入力された映像信号の平均輝度レベル（ＡＰＬ）を検出し、検出された平均輝度レベルが高いほど光源ランプの照度が高くなるように、光源ランプの照度を制御する方法が既に開発されている（特開平０３−１７９８８６号公報、特開平０８−２０１８１２号公報参照）。
【０００３】
従来方法では、次のような問題がある。つまり、図１に示すように、映像信号の平均輝度レベルがシーンチェンジなどで大きく変化した場合、光源ランプの電力制御信号はその検出結果に対応して即座に変化せしめられるが、実際に光源ランプの照度が切り替わるまでには、電力を供給するランプバラストの出力特性と光源ランプ自体の応答特性によって、数フレーム分の時間がかかってしまう。
【０００４】
この遅延時間は視覚的に十分認知できる長さであるため、たとえば、画像の内容が「暗い」から「明るい」と変化した場合、視覚的には、「暗い」、「中間」、「明るい」という変化と感じられ、違和感が発生する。
【特許文献１】特開平０３−１７９８８６号公報
【特許文献２】特開平０８−２０１８１２号公報
【発明の開示】
【発明が解決しようとする課題】
【０００５】
この発明は、入力された映像信号の明るさに関する情報に基づいて、光源ランプの照度が制御される投射型映像表示装置において、入力された映像信号の明るさが大きく変化した場合に、光源ランプの応答遅れによって発生する視覚的な違和感を低減させることができる投射型映像表示装置を提供することを目的とする。
【課題を解決するための手段】
【０００６】
請求項１に記載の発明は、光源ランプ、光源ランプの光の強度を変調することによって画像を表示するライトバルブ、入力された画像の明るさに関する情報を算出する手段、および画像の明るさに関する情報に基づいて、ランプ電力を制御することにより、光源の照度を制御する手段とを備えている投射型映像表示装置において、現フレームに対するランプ電力に関するデータと、過去の所定数のフレーム分に対するランプ電力に関するデータとに基づいて、入力映像信号の信号レベルを変化させる信号レベル変調手段を備えていることを特徴とする。
【０００７】
請求項２に記載の発明は、請求項１に記載の発明において、信号レベル変調手段は、現フレームに対するランプ電力に関するデータと、過去の所定数のフレーム分に対するランプ電力に関するデータとが、それぞれ入力され、かつ入力されたランプ電力に関するデータに所与の乗算係数を乗算する複数の乗算手段、ランプ電力に関するデータの時間的変化量に基づいて、各乗算手段に設定される乗算係数を切り換える手段、各乗算手段の乗算結果に基づいて、入力映像信号の信号レベルのゲイン差分値を算出する手段、算出されたゲイン差分値を基準となるゲインに加算することによりゲインを算出し、算出したゲインに応じて入力映像信号の信号レベルを変化させる手段を備えていることを特徴とする。
【発明の効果】
【０００８】
この発明によれば、入力された映像信号の明るさに関する情報に基づいて、光源ランプの照度が制御される投射型映像表示装置において、入力された映像信号の明るさが大きく変化した場合に、光源ランプの応答遅れによって発生する視覚的な違和感を低減させることができるようになる。
【発明を実施するための最良の形態】
【０００９】
以下、図面を参照して、この発明を液晶プロジェクタに適用した場合の実施例について説明する。
【実施例１】
【００１０】
まず、図２を用いて、本発明の原理について説明する。図２に示すように、入力画像の明るさが「暗い」から「明るい」に変化した場合、光源ランプの電力が大きくされる。これにより、光源ランプの照度が高く（明るく）なるように変化するが、図２に示すように、光源ランプの応答特性により、光源ランプの照度が入力画像の明るさに対応する照度に至るまでに時間がかかる。
【００１１】
そこで、本願発明では、図２に示すように、入力画像の明るさが「暗い」から「明るい」に変化したときから、光源ランプの照度が入力画像の明るさに対応する照度に至るまでの過渡期間において、入力映像信号のレベルを持ち上げることにより、視覚的な見え方が「暗い」から「明るい」に変化するようにしている。
【００１２】
図３は、液晶プロジェクタの構成を示している。
【００１３】
液晶プロジェクタに入力された映像信号（Ｒ，Ｇ，Ｂ信号）は、信号変調処理部（アンプ）１およびＬＣＤドライバ２を介してＬＣＤ３に送られる。ＬＣＤ３に書き込まれた画像は、光源ランプ７によって、図示しないスクリーン上に投射される。
【００１４】
また、液晶プロジェクタに入力された映像信号は、入力画像の明るさに関する情報を算出するための明るさ判定部４にも送られる。入力画像の明るさに関する情報としては、１画面全体の平均輝度レベル（ＡＰＬ）、１画面全体の輝度の総和、１画面中の最大輝度レベル（ピーク値）、１画面中の最小輝度レベル等が用いられる。また、１画面を複数のエリアに分割して、エリア毎の平均輝度レベルをヒストグラム化し、最も度数の高い輝度を入力画像の明るさに関する情報として用いてもよい。
【００１５】
この実施例では、明るさ判定部４は、１画面（この例では１フレーム）毎に平均輝度レベル（ＡＰＬ）を算出する。明るさ判定部４によって算出された平均輝度レベルは、ランプ電力制御部５に送られる。ランプ電力制御部５は、明るさ判定部４から送られてきた平均輝度レベルが高いほど、光源ランプ７の照度が高くなるように、ランプ電力を制御する。入力映像信号の平均輝度レベルと、光源ランプ７の照度（ランプ電力）との関係は、図４に示すように線形的な関係に設定してもよいし、図５に示すように非線形な関係に設定してもよい。
【００１６】
ランプ電力制御部５からは、ランプ電力に比例したランプ電力制御データ（ランプ電力に関するデータ）が出力される。ランプ電力制御部５から出力されるランプ電力制御データは、ランブバラスト６に送られる。ランブバラスト６は、ランプ電力制御部５から送られてくるランプ電力制御データに応じて、光源ランプ７のランプ電力を制御する。
【００１７】
ランプ電力制御部５から出力されるランプ電力制御データは、信号変調処理部（アンプ）１のアンプゲインを制御するためのフィルタ処理回路部８にも送られる。
【００１８】
図６は、フィルタ処理回路部８の構成を示している。
【００１９】
図６において、１１は１フレーム前のランプ電力制御データを記憶するための第１のデータ記憶部であり、１２は２フレーム前のランプ電力制御データを記憶するための第２のデータ記憶部である。ランプ電力制御データとしては、ランプ電力をそのまま表すデータであってもよいし、演算により８段階（３ｂｉｔ）や１６段階（４ｂｉｔ）などの形式のデータであってもよい。
【００２０】
現フレームのランプ電力制御データと、第２のデータ記憶部１２に記憶されている２フレーム前のランプ電力制御データとは、減算器１３に与えられる。減算器１３は、現フレームのランプ電力制御データから、２フレーム前のランプ電力制御データとを減算し、その演算結果Ａをデータ変換ＬＵＴ１４に与える。
【００２１】
一方、現フレームのランプ電力制御データは第１の乗算器１５に、第１のデータ記憶部１１に記憶されている１フレーム前のランプ電力制御データは第２の乗算器１６に、第２のデータ記憶部１２に記憶されている２フレーム前のランプ電力制御データは第３の乗算器１７に、それぞれ与えられる。
【００２２】
第１〜第３の各乗算器１５、１６、１７には、それぞれデータ変換ＬＵＴ１４によって、乗算係数Ｋ１，Ｋ２，Ｋ３が設定される。各乗算器１５、１６、１７は、それぞれ入力データに、乗算係数Ｋ１，Ｋ２，Ｋ３を乗算する。各乗算器１５、１６、１７の乗算結果Ｄ１，Ｄ２，Ｄ３は、加減算器１８に与えられる。加減算器１８は、（Ｄ１−Ｄ２−Ｄ３）の演算を行い、その演算結果をアンプゲイン差分値（入力映像信号の信号レベルの変調度合い）として出力する。アンプゲイン差分値は、信号変調処理部１に与えられる。信号変調処理部１は、与えられたアンプゲイン差分値を基準となるアンプゲイン設定値（デフォルト値）に加算することにより、アンプゲインを決定し、決定したアンプゲインに応じて入力映像信号の信号レベルを変化（変調）させる。
【００２３】
データ変換ＬＵＴ１４は、減算器１３から与えられる演算結果Ａに基づいて、第１〜第３の各乗算器１５、１６、１７に設定する乗算係数Ｋ１，Ｋ２，Ｋ３を切り換える。Ｋ１，Ｋ２，Ｋ３は、所定の閾値をＴＨとすると、演算結果Ａの値に応じて、次のような値に設定される。
【００２４】
（ａ）｜Ａ｜＜ＴＨの場合
Ｋ１＝Ｋ２＝Ｋ３＝０
（ｂ）｜Ａ｜≧ＴＨでかつＡ≧０の場合
Ｋ１＝１．０，Ｋ２＝０．５，Ｋ３＝０．５
（ｃ）｜Ａ｜≧ＴＨでかつＡ＜０の場合
Ｋ１＝１．０，Ｋ２＝１．０，Ｋ３＝０
【００２５】
図７は、入力画像の明るさが「暗い」から「明るい」に変化したとき、つまり、平均輝度レベルが小さな値から大きな値に変化したときの、フィルタ処理回路部８の各部の信号（データ）を示している。
【００２６】
入力画像の明るさが「暗い」から「明るい」に変化すると、ランプ電力制御データも同様に変化せしめられる。この場合、１フレーム前のランプ電力制御データおよび２フレーム前のランプ電力制御データは、図７に示すようになるので、減算器１３の演算結果Ａ、つまり、現フレームのランプ電力制御データから２フレーム前のランプ電力制御データとを減算した結果は、図７に示すようになる。
【００２７】
入力画像の明るさが「暗い」から「明るい」に変化してから２フレーム期間においては、｜Ａ｜≧ＴＨでかつＡ≧０となるので、その期間において、各乗算器１５、１６、１７に設定する乗算係数Ｋ１，Ｋ２，Ｋ３は、Ｋ１＝１．０，Ｋ２＝０．５，Ｋ３＝０．５となる。したがって、加減算器１８によって算出されるアンプゲイン差分値は、図７に示すように、入力画像の明るさが「暗い」から「明るい」に変化してから最初の１フレーム期間においては正の比較的大きな値となり、その次の１フレーム期間においては正の比較的小さな値となる。この結果、その期間において、入力映像信号のレベルは、図２で説明したように、持ち上げられるので、光源ランプ７の応答の遅れを補うことができるようになる。
【００２８】
図８は、入力画像の明るさが「明るい」から「暗い」に変化したとき、つまり、平均輝度レベルが大きな値から小さな値に変化したときの、フィルタ処理回路部８の各部の信号（データ）を示している。
【００２９】
入力画像の明るさが「明るい」から「暗い」に変化すると、ランプ電力制御データも同様に変化せしめられる。この場合、１フレーム前のランプ電力制御データおよび２フレーム前のランプ電力制御データは、図８に示すようになるので、減算器１３の演算結果Ａ、つまり、現フレームのランプ電力制御データから２フレーム前のランプ電力制御データとを減算した結果は、図８に示すようになる。
【００３０】
入力画像の明るさが「明るい」から「暗い」に変化してから２フレーム期間においては、｜Ａ｜≧ＴＨでかつＡ＜０となるので、その期間において、各乗算器１５、１６、１７に設定する乗算係数Ｋ１，Ｋ２，Ｋ３は、Ｋ１＝１．０，Ｋ２＝１．０，Ｋ３＝０となる。したがって、加減算器１８によって算出されるアンプゲイン差分値は、入力画像の明るさが「明るい」から「暗い」に変化してから最初の１フレーム期間において、図８に示すように、負の値となる。この結果、入力映像信号のレベルは、「明るい」から「暗い」に変化してから最初の１フレーム期間において低下せしめられるので、光源ランプ７の応答の遅れを補うことができるようになる。
【図面の簡単な説明】
【００３１】
【図１】入力画像の明るさが変化した場合に、光源ランプの照度が変化する様子を示すタイムチャートである。
【図２】本発明の原理を説明するためのタイムチャートである。
【図３】液晶プロジェクタの構成を示すブロック図である。
【図４】入力映像信号の平均輝度レベルと光源ランプ７の照度（ランプ電力）との関係の例を示すグラフである。
【図５】入力映像信号の平均輝度レベルと光源ランプ７の照度（ランプ電力）との関係の他の例を示すグラフである。
【図６】フィルタ処理回路部８の構成を示すブロック図である。
【図７】入力画像の明るさが「暗い」から「明るい」に変化したとき、つまり、平均輝度レベルが小さな値から大きな値に変化したときの、フィルタ処理回路部８の各部の信号（データ）を示すタイムチャートである。
【図８】入力画像の明るさが「明るい」から「暗い」に変化したとき、つまり、平均輝度レベルが小さな値から大きな値に変化したときの、フィルタ処理回路部８の各部の信号（データ）を示すタイムチャートである。
【符号の説明】
【００３２】
１  信号変調処理部（アンプ）
２  ＬＣＤドライバ
３  ＬＣＤ
４  明るさ判定部
５  ランプ電力制御部
６  ランブバラスト
７  光源ランプ
８  フィルタ処理回路部
【図１】
2005159595.tif 000003
【図２】
2005159595.tif 000004
【図３】
2005159595.tif 000005
【図４】
2005159595.tif 000006
【図５】
2005159595.tif 000007
【図６】
2005159595.tif 000008
【図７】
2005159595.tif 000009
【図８】
2005159595.tif 000010